(57)【要約】【課題】  ＬＥＤチップおよび電源部からの放熱を促進することが可能なＬＥＤ電球を提供すること。【解決手段】  ＬＥＤ電球１０１は、ＬＥＤチップ２２０を有する発光部２００と、グローブ５１０と、電源部収容空間３２０を有する放熱部材３００と、電源部収容空間３２０に収容されており、発光部２００に電力を供給する電源部５３０と、口金５２０と、を備えており、放熱部材３００は、主面３１１に発光部２００が配置され、電源部収容空間３２０の底面を形成する裏面３１２を有する支持板部３１０、および裏面３１２から開口３３０に向かう方向に延びる内側面３２１を有しており、電源部収容空間３２０内において電源部５３０を収容し、裏面３１２および内側面３２１の少なくとも一部ずつの間に隙間をおいて配置された電源部カバー４００を備える。【選択図】  図１
2013093220.tif 000002
【特許請求の範囲】
【請求項１】
１以上のＬＥＤチップを有する発光部と、
上記発光部を囲むとともに、上記発光部からの光を透過させるグローブと、
上記発光部および上記グローブを支持するとともに、上記発光部が取り付けられた側とは反対側に開口を有する電源部収容空間を有する放熱部材と、
上記電源部収容空間に収容されており、上記発光部に電力を供給する電源部と、
上記放熱部材に対して上記グローブとは反対側に位置する口金と、を備えており、
上記放熱部材は、主面に上記発光部が配置され、この主面と反対側が上記電源部収容空間の底面を形成する裏面とされた支持板部、および上記裏面から上記開口に向かう方向に延びる内側面を有しており、
上記電源部収容空間内において上記電源部を収容し、上記裏面および上記内側面の少なくとも一部ずつの間に隙間をおいて配置された電源部カバーを備えることを特徴とする、ＬＥＤ電球。
【請求項２】
上記電源部カバーは、上記裏面と対面する底板部を有しており、
上記底板部には、上記裏面に当接しうる底板部突起が形成されている、請求項１に記載のＬＥＤ電球。
【請求項３】
上記底板部突起は、円柱状である、請求項２に記載のＬＥＤ電球。
【請求項４】
上記底板部突起は、互いに交差した複数の壁状部によって構成されている、請求項２に記載のＬＥＤ電球。
【請求項５】
上記底板部には、上記底板部突起を避けた位置に上記電源部からのケーブルが挿通された貫通孔が形成されている、請求項２ないし４のいずれかに記載のＬＥＤ電球。
【請求項６】
上記電源部カバーは、上記放熱部材の上記内側面との間に隙間を有する断熱部と、上記断熱部よりも上記内側面との接触面積が大であり、かつ上記断熱部よりも上記開口寄りに位置する放熱部と、を有する、請求項２ないし５のいずれかに記載のＬＥＤ電球。
【請求項７】
上記断熱部は、上記内側面に接する断熱部突起を有する、請求項６に記載のＬＥＤ電球。
【請求項８】
上記断熱部突起は、上記裏面から上記開口に向かう方向に長く延びている、請求項７に記載のＬＥＤ電球。
【請求項９】
上記放熱部は、上記断熱部よりも断面寸法が大であり、全周にわたって上記内側面に接している、請求項６ないし８のいずれかに記載のＬＥＤ電球。
【請求項１０】
上記内側面には、上記開口寄りに位置し、上記裏面から上記開口に向かう方向に延びる位置決め溝が形成されており、
上記電源部カバーには、上記位置決め溝に嵌合する位置決め突起が形成されている、請求項６ないし９のいずれかに記載のＬＥＤ電球。
【請求項１１】
上記位置決め突起は、上記放熱部に形成されている、請求項１０に記載のＬＥＤ電球。
【請求項１２】
上記電源部カバーは、絶縁材料からなり、上記放熱部材と上記口金との間に介在している、請求項６ないし１１のいずれかに記載のＬＥＤ電球。
【請求項１３】
上記電源部カバーは、上記放熱部材と上記口金とに挟まれ、かつ外部に露出する鍔部を有する、請求項１２に記載のＬＥＤ電球。
【請求項１４】
上記鍔部には、上記放熱部材の上記開口側端を収容する収容溝を有する、請求項１３に記載のＬＥＤ電球。
【請求項１５】
上記放熱部材は、上記裏面側に位置する厚肉部と、上記開口側に位置し上記厚肉部よりも薄い薄肉部とを有する、請求項６ないし１４のいずれかに記載のＬＥＤ電球。
【請求項１６】
上記電源部カバーの上記放熱部は、上記放熱部材の上記薄肉部と接している、請求項１５に記載のＬＥＤ電球。
【請求項１７】
上記放熱部材は、上記電源部カバーを囲み、厚さが均一である均一厚部を有する、請求項６ないし１４のいずれかに記載のＬＥＤ電球。
【請求項１８】
上記均一厚部は、上記開口から上記裏面に向かうほど断面形状が大となる部分を有する、請求項１７に記載のＬＥＤ電球。
【請求項１９】
上記均一厚部の厚さは、０．５〜１．０ｍｍである、請求項１７または１８に記載のＬＥＤ電球。
【請求項２０】
１以上のＬＥＤチップを備える発光部と、
上記発光部に電力を供給する電源部と、
上記発光部の発光を制御するＬＥＤドライバと、
上記ＬＥＤドライバに対して上記発光部の点灯状態を変更させる点灯制御指令を送る制御部と、を備えており、
上記制御部は、上記ＬＥＤドライバが上記発光部を点灯させるときに報知指令信号を出力し、
上記報知指令信号を受けることにより、無線によって報知信号を送信する無線送信部を備えることを特徴とする、ＬＥＤ照明器具。
【請求項２１】
使用者が引っ張る吊り紐を有しており、上記吊り紐が引っ張られたときに上記発光部の点灯状態を切り替えるスイッチ部を備えている、請求項２０に記載のＬＥＤ照明器具。
【請求項２２】
感知領域に使用者が進入したときに人感信号を出力する人感センサを備えており、
上記制御部は、上記人感センサからの上記人感信号に基づいて、上記ＬＥＤドライバに上記点灯制御指令を送る、請求項２０または２１に記載のＬＥＤ照明器具。
【請求項２３】
上記報知信号は、電子メールである、請求項２０ないし２２のいずれかに記載のＬＥＤ照明器具。
【請求項２４】
上記電子メールが送信された時点からの送信後経過時間を計時する計時部を備えており、
上記制御部は、上記送信後経過時間とあらかじめ定められた送信禁止時間とを比較することにより、電子メールを送信するか否かを判断する、請求項２３に記載のＬＥＤ照明器具。
【請求項２５】
請求項２３または２４に記載のＬＥＤ照明器具と、
上記無線送信部からの上記報知信号としての電子メールを受信する無線受信部と、
上記報知信号としての電子メールを公衆通信回線へと送信する通信部と、
を備えることを特徴とする、照明システム。
【請求項２６】
請求項２０ないし２２のいずれかに記載のＬＥＤ照明器具と、
上記無線送信部からの上記報知信号を受信する無線受信部と、
上記無線受信部が上記報知信号を受信すると電子メールを送信する電子メール送信部と、
上記電子メール送信部からの電子メールを公衆通信回線へと送信する通信部と、を備えることを特徴とする、照明システム。
【請求項２７】
上記電子メール送信部が上記電子メールを送信した時点からの送信後経過時間を計時する計時部を備えており、
上記電子メール送信部は、上記送信後経過時間とあらかじめ定められた送信禁止時間とを比較することにより、電子メールを送信するか否かを判断する、請求項２６に記載のＬＥＤ照明システム。
【請求項２８】
１以上のＬＥＤチップを備える発光部と、
上記発光部に電力を供給する電源部と、
上記発光部の発光を制御するＬＥＤドライバと、
上記ＬＥＤドライバに対して上記発光部の点灯状態を変更させる点灯制御指令を送る制御部と、を備えており、
上記制御部は、上記ＬＥＤドライバが上記発光部を点灯させるときに、上記ＬＥＤドライバに報知発光指令を送り、
上記ＬＥＤドライバは、あらかじめ定められた報知発光パターンで上記発光部を発光させることを特徴とする、ＬＥＤ照明器具。
【請求項２９】
上記報知発光指令が送られた時点からの送信後経過時間を計時する計時部を備えており、
上記制御部は、上記送信後経過時間とあらかじめ定められた送信禁止時間とを比較することにより、上記報知発光指令を送るか否かを判断する、請求項２８に記載のＬＥＤ照明器具。
【請求項３０】
請求項２８または２９に記載のＬＥＤ照明器具と、
上記発光部からの光を受光する受光部と、
上記受光部が上記報知発光パターンにしたがった光を受光すると電子メールを送信する電子メール送信部と、
上記電子メール送信部からの電子メールを公衆通信回線へと送信する通信部と、を備えることを特徴とする、照明システム。
【発明の詳細な説明】
【技術分野】
【０００１】
本発明は、ＬＥＤ電球、ＬＥＤ照明器具およびＬＥＤ照明システムに関する。
【背景技術】
【０００２】
図８は、従来のＬＥＤ電球の一例を示している（たとえば、特許文献１参照）。同図に示されたＬＥＤ電球９００は、ＬＥＤ基板９０１、複数のＬＥＤチップ９０２、放熱部材９０３、電源部９０４、口金９０５、およびグローブ９０６を備えている。複数のＬＥＤチップ９０２は、ＬＥＤ電球９００の光源であり、ＬＥＤ基板９０１に搭載されている。ＬＥＤ基板９０１は、絶縁性材料からなり、放熱部材９０３に固定されている。放熱部材９０３は、たとえばアルミなどの金属からなり、複数のＬＥＤチップ９０２からの熱を外部へと放散する役割を果たす。口金９０５は、ＬＥＤ電球９００を照明器具などに取り付けるための部位であり、たとえばＪＩＳ規格に定められた仕様とされている。グローブ９０６は、複数のＬＥＤチップ９０２を保護するとともに、ＬＥＤチップ９０２からの光を透過させる。
【０００３】
ＬＥＤ電球９００の点灯時には、複数のＬＥＤチップ９０２の発熱が顕著である。ＬＥＤチップ９０２からの熱を放熱部材９０３を介して放熱することが、ＬＥＤチップ９０２の高寿命化に好ましい。しかし、ＬＥＤチップ９０２に電力を供給する電源部９０４からの発熱も無視しがたい場合がある。したがって、複数のＬＥＤチップ９０２からの放熱だけでなく、電源部９０４からの放熱を促進することが好ましい。
【０００４】
ＬＥＤチップを光源として備えるＬＥＤ照明器具が提案されている（たとえば特許文献２）。その一形態として、住居の天井から吊り下げる、いわゆるペンダントタイプのＬＥＤ照明器具がある。このようなＬＥＤ照明器具は、使用者が日常的に使用するものである。
【０００５】
省電力などを目的として、ＬＥＤ照明器具の使用量が年々増えている。ＬＥＤ照明器具が基本用途としての照明用途に用いられることに加えて、使用者の日常生活をさらに便利にするための付加的な機能に対する期待がますます高まっている。
【先行技術文献】
【特許文献】
【０００６】
【特許文献１】特開２０１０−２２５４０９号公報
【特許文献２】特開２０１０−１５３２１５号公報
【発明の概要】
【発明が解決しようとする課題】
【０００７】
本発明は、上記した事情のもとで考え出されたものであって、ＬＥＤチップおよび電源部からの放熱を促進することが可能なＬＥＤ電球を提供することをその課題とする。また、日常生活をさらに便利にすることが可能なＬＥＤ照明器具およびＬＥＤ照明システムを提供することを他の課題とする。
【課題を解決するための手段】
【０００８】
本発明の第１の側面によって提供されるＬＥＤ電球は、１以上のＬＥＤチップを有する発光部と、上記発光部を囲むとともに、上記発光部からの光を透過させるグローブと、上記発光部および上記グローブを支持するとともに、上記発光部が取り付けられた側とは反対側に開口を有する電源部収容空間を有する放熱部材と、上記電源部収容空間に収容されており、上記発光部に電力を供給する電源部と、上記放熱部材に対して上記グローブとは反対側に位置する口金と、を備えており、上記放熱部材は、主面に上記発光部が配置され、この主面と反対側が上記電源部収容空間の底面を形成する裏面とされた支持板部、および上記裏面から上記開口に向かう方向に延びる内側面を有しており、上記電源部収容空間内において上記電源部を収容し、上記裏面および上記内側面の少なくとも一部ずつの間に隙間をおいて配置された電源部カバーを備えることを特徴としている。
【０００９】
本発明の好ましい実施の形態においては、上記電源部カバーは、上記裏面と対面する底板部を有しており、上記底板部には、上記裏面に当接しうる底板部突起が形成されている。
【００１０】
本発明の好ましい実施の形態においては、上記底板部突起は、円柱状である。
【００１１】
本発明の好ましい実施の形態においては、上記底板部突起は、互いに交差した複数の壁状部によって構成されている。
【００１２】
本発明の好ましい実施の形態においては、上記底板部には、上記底板部突起を避けた位置に上記電源部からのケーブルが挿通された貫通孔が形成されている。
【００１３】
本発明の好ましい実施の形態においては、上記電源部カバーは、上記放熱部材の上記内側面との間に隙間を有する断熱部と、上記断熱部よりも上記内側面との接触面積が大であり、かつ上記断熱部よりも上記開口寄りに位置する放熱部と、を有する。
【００１４】
本発明の好ましい実施の形態においては、上記断熱部は、上記内側面に接する断熱部突起を有する。
【００１５】
本発明の好ましい実施の形態においては、上記断熱部突起は、上記裏面から上記開口に向かう方向に長く延びている。
【００１６】
本発明の好ましい実施の形態においては、上記放熱部は、上記断熱部よりも断面寸法が大であり、全周にわたって上記内側面に接している。
【００１７】
本発明の好ましい実施の形態においては、上記内側面には、上記開口寄りに位置し、上記裏面から上記開口に向かう方向に延びる位置決め溝が形成されており、上記電源部カバーには、上記位置決め溝に嵌合する位置決め突起が形成されている。
【００１８】
本発明の好ましい実施の形態においては、上記位置決め突起は、上記放熱部に形成されている。
【００１９】
本発明の好ましい実施の形態においては、上記電源部カバーは、絶縁材料からなり、上記放熱部材と上記口金との間に介在している。
【００２０】
本発明の好ましい実施の形態においては、上記電源部カバーは、上記放熱部材と上記口金とに挟まれ、かつ外部に露出する鍔部を有する。
【００２１】
本発明の好ましい実施の形態においては、上記鍔部には、上記放熱部材の上記開口側端を収容する収容溝を有する。
【００２２】
本発明の好ましい実施の形態においては、上記放熱部材は、上記裏面側に位置する厚肉部と、上記開口側に位置し上記厚肉部よりも薄い薄肉部とを有する。
【００２３】
本発明の好ましい実施の形態においては、上記電源部カバーの上記放熱部は、上記放熱部材の上記薄肉部と接している。
【００２４】
本発明の好ましい実施の形態においては、上記放熱部材は、上記電源部カバーを囲み、厚さが均一である均一厚部を有する。
【００２５】
本発明の好ましい実施の形態においては、上記均一厚部は、上記開口から上記裏面に向かうほど断面形状が大となる部分を有する。
【００２６】
本発明の好ましい実施の形態においては、上記均一厚部の厚さは、０．５〜１．０ｍｍである。
【００２７】
本発明の第２の側面によって提供されるＬＥＤ照明器具は、１以上のＬＥＤチップを備える発光部と、上記発光部に電力を供給する電源部と、上記発光部の発光を制御するＬＥＤドライバと、上記ＬＥＤドライバに対して上記発光部の点灯状態を変更させる点灯制御指令を送る制御部と、を備えており、上記制御部は、上記ＬＥＤドライバが上記発光部を点灯させるときに報知指令信号を出力し、上記報知指令信号を受けることにより、無線によって報知信号を送信する無線送信部を備えることを特徴としている。
【００２８】
本発明の好ましい実施の形態においては、使用者が引っ張る吊り紐を有しており、上記吊り紐が引っ張られたときに上記発光部の点灯状態を切り替えるスイッチ部を備えている。
【００２９】
本発明の好ましい実施の形態においては、感知領域に使用者が進入したときに人感信号を出力する人感センサを備えており、上記制御部は、上記人感センサからの上記人感信号に基づいて、上記ＬＥＤドライバに上記点灯制御指令を送る。
【００３０】
本発明の好ましい実施の形態においては、上記報知信号は、電子メールである。
【００３１】
本発明の好ましい実施の形態においては、上記電子メールが送信された時点からの送信後経過時間を計時する計時部を備えており、上記制御部は、上記送信後経過時間とあらかじめ定められた送信禁止時間とを比較することにより、電子メールを送信するか否かを判断する。
【００３２】
本発明の第３の側面によって提供されるＬＥＤ照明システムは、本発明の第２の側面によって提供されるＬＥＤ照明器具と、上記無線送信部からの上記報知信号としての電子メールを受信する無線受信部と、上記報知信号としての電子メールを公衆通信回線へと送信する通信部と、を備えることを特徴としている。
【００３３】
本発明の第４の側面によって提供されるＬＥＤ照明システムは、本発明の第２の側面によって提供されるＬＥＤ照明器具と、上記無線送信部からの上記報知信号を受信する無線受信部と、上記無線受信部が上記報知信号を受信すると電子メールを送信する電子メール送信部と、上記電子メール送信部からの電子メールを公衆通信回線へと送信する通信部と、を備えることを特徴としている。
【００３４】
本発明の好ましい実施の形態においては、上記電子メール送信部が上記電子メールを送信した時点からの送信後経過時間を計時する計時部を備えており、上記電子メール送信部は、上記送信後経過時間とあらかじめ定められた送信禁止時間とを比較することにより、電子メールを送信するか否かを判断する。
【００３５】
本発明の第５の側面によって提供されるＬＥＤ照明器具は、１以上のＬＥＤチップを備える発光部と、上記発光部に電力を供給する電源部と、上記発光部の発光を制御するＬＥＤドライバと、上記ＬＥＤドライバに対して上記発光部の点灯状態を変更させる点灯制御指令を送る制御部と、を備えており、上記制御部は、上記ＬＥＤドライバが上記発光部を点灯させるときに、上記ＬＥＤドライバに報知発光指令を送り、上記ＬＥＤドライバは、あらかじめ定められた報知発光パターンで上記発光部を発光させることを特徴としている。
【００３６】
本発明の好ましい実施の形態においては、上記報知発光指令が送られた時点からの送信後経過時間を計時する計時部を備えており、上記制御部は、上記送信後経過時間とあらかじめ定められた送信禁止時間とを比較することにより、上記報知発光指令を送るか否かを判断する。
【００３７】
本発明の第６の側面によって提供されるＬＥＤ照明システムは、本発明の第５の側面によって提供されるＬＥＤ照明器具と、上記発光部からの光を受光する受光部と、上記受光部が上記報知発光パターンにしたがった光を受光すると電子メールを送信する電子メール送信部と、上記電子メール送信部からの電子メールを公衆通信回線へと送信する通信部と、を備えることを特徴としている。
【００３８】
本発明のその他の特徴および利点は、添付図面を参照して以下に行う詳細な説明によって、より明らかとなろう。
【図面の簡単な説明】
【００３９】
【図１】本発明の第１実施形態に基づくＬＥＤ電球を示す断面図である。
【図２】図１のＬＥＤ電球の発光部を示す断面図である。
【図３】図１の電源部カバーを示す斜視図である。
【図４】図１のＩＶ−ＩＶ線に沿う断面図である。
【図５】電源部カバーの変形例を示す斜視図である。
【図６】図５の電源部カバーが用いられたＬＥＤ電球のＶＩ−ＶＩ線に沿う断面図である。
【図７】本発明の第２実施形態に基づくＬＥＤ電球を示す断面図である。
【図８】従来のＬＥＤ電球の一例を示す断面図である。
【図９】本発明の他の側面の第１実施形態に基づくＬＥＤ照明システムを示す全体概略図である。
【図１０】図９のＬＥＤ照明システムに用いられるＬＥＤ照明器具を示すシステム構成図である。
【図１１】図１０のＬＥＤ照明器具の動作を示すフローチャートである。
【図１２】本発明の他の側面の第２実施形態に基づくＬＥＤ照明システムを示す全体概略図である。
【図１３】図１２のＬＥＤ照明システムを示すシステム構成図である。
【図１４】図１３のＬＥＤ照明器具の動作を示すフローチャートである。
【図１５】本発明の他の側面の第３実施形態に基づくＬＥＤ照明システムを示す全体概略図である。
【図１６】本発明の他の側面の第４実施形態に基づくＬＥＤ照明システムを示す全体概略図である。
【図１７】図１６のＬＥＤ照明システムに用いられるＬＥＤ照明器具を示す正面図である。
【図１８】図１７のＸＶＩＩＩ−ＸＶＩＩＩ線に沿う断面図である。
【図１９】図１８のＸＩＸ−ＸＩＸ線に沿う要部断面図である。
【図２０】図１６のＬＥＤ照明システムを示すシステム構成図である。
【図２１】図１６のＬＥＤ照明システムの動作を示すフローチャートである。
【発明を実施するための形態】
【００４０】
以下、本発明の好ましい実施の形態につき、図面を参照して具体的に説明する。
【００４１】
図１および図２は、本発明の第１実施形態に基づくＬＥＤ電球を示している。本実施形態のＬＥＤ電球１０１は、発光部２００、放熱部材３００、電源部カバー４００、電源部５３０、グローブ５１０、および口金５２０を備えている。ＬＥＤ電球１０１は、白熱電球の代替品として使用されることが意図されており、たとえばクリプトン電球に代えて使用される。
【００４２】
発光部２００は、本実施形態においては全体として矩形薄板状とされており、図２に示すように、ＬＥＤ基板２１０、複数のＬＥＤチップ２２０、封止樹脂２３０、および堰部２４０を有している。ＬＥＤ基板２１０は、矩形状であり、たとえばアルミナなどのセラミックスからなる。ＬＥＤ基板２１０には、複数のＬＥＤチップ２２０を搭載し、これらのＬＥＤチップ２２０に電力を供給する経路となる配線パターン（図示略）が形成されている。
【００４３】
各ＬＥＤチップ２２０は、たとえばＧａＮ系半導体材料からなるｐ型半導体層、ｎ型半導体層、これらのｐ型半導体層およびｎ型半導体層に挟まれた活性層を有しており、たとえば青色光を発する。本実施形態においては、ＬＥＤチップ２２０は、上述したＬＥＤ基板２１０の配線パターンに対して２つのワイヤを介して接続される、いわゆる２ワイヤタイプであるが、これに限定されず、１ワイヤタイプのものや、フリップチップタイプのものであってもよい。複数のＬＥＤチップ２２０は、ＬＥＤ基板２１０上にマトリクス状に配置されている。
【００４４】
封止樹脂２３０は、複数のＬＥＤチップ２２０を封止しており、ＬＥＤチップ２２０からの光を透過するたとえばシリコーン樹脂またはエポキシ樹脂などの樹脂材料からなる。堰部２４０は、ＬＥＤ基板２１０上において矩形枠状に形成されており、たとえば白色のシリコーン樹脂からなる。堰部２４０は、封止樹脂２３０の形成において、液状の樹脂材料を堰き止めることにより、この樹脂材料が意図しない領域に流出することを防止する。
【００４５】
図１に示すように、放熱部材３００は、発光部２００を支持し、また発光部２００からの熱を外部へと伝える機能を果たす。放熱部材３００の材質としては、熱伝導率が高いものが好ましく、たとえばアルミなどの金属が用いられる。本実施形態においては、放熱部材３００は一体成型されているが、これとは異なり複数の部品によって構成されていてもよい。
【００４６】
放熱部材３００は、支持板部３１０、厚肉部３６１、および薄肉部３６２を有している。また、放熱部材３００は、図中下側に開口３３０を有する。開口３３０の内側は、電源部収容空間３２０となっている。
【００４７】
支持板部３１０は、円板状であり、主面３１１および裏面３１２を有する。主面３１１には、発光部２００が取り付けられている。支持板部３１０には、２つの貫通孔３１３が形成されている。
【００４８】
厚肉部３６１は、支持板部３１０に繋がっており、異形円筒状である。厚肉部３６１は、支持板部３１０から開口３３０に向かうほどその厚さが薄くなっている。薄肉部３６２は、厚肉部３６１につながっており、円筒形状である。薄肉部３６２は、その厚さが厚肉部３６１の厚さ以下とされている。電源部収容空間３２０は、支持板部３１０、厚肉部３６１、および薄肉部３６２に囲まれた空間であり、底面としての裏面３１２および内側面３２１によって規定されている。
【００４９】
電源部５３０は、たとえば商用の交流１００Ｖ電源から発光部２００（ＬＥＤチップ２２０）を点灯させるのに適した直流電力を発生させ、この直流電力を発光部２００（ＬＥＤチップ２２０）に供給するものであり、電源基板５３１、複数の電子部品５３２、およびケーブル５３３を備えている。
【００５０】
電源基板５３１は、たとえばガラスコンポジッド銅張積層板からなり、全体として円形状とされている。電源基板５３１の図中下面には、複数の電子部品５３２が実装されている。複数の電子部品５３２は、たとえば商用の交流１００Ｖ電源を発光部２００（ＬＥＤチップ２２０）を点灯させるのに適した直流電力に変換する機能を果たす。複数の電子部品５３２は、たとえば、コンデンサ、抵抗、コイル、ダイオード、ＩＣなどを含む。たとえば、図１において、図中下方にもっとも突出した電子部品５３２は、コンデンサである。
【００５１】
ケーブル５３３は、複数の電子部品５３２からの直流電力を発光部２００へと導くためのものである。
【００５２】
電源部カバー４００は、電源部５３０を収容しており、放熱部材３００の電源部収容空間３２０内に収容されている。本実施形態においては、電源部カバー４００は、底板部４１０、断熱部４２０、放熱部４３０、および鍔部４４０を有している。電源部カバー４００の材質は、絶縁性材料が好ましく、たとえば絶縁性樹脂が用いられている。
【００５３】
図１および図３に示すように、底板部４１０は、放熱部材３００の支持板部３１０の裏面３１２に対向する位置にあり、たとえば円板状である。本実施形態においては、底板部４１０に複数の底板部突起４１１が形成されている。各底板部突起４１１は、円柱状であり、その図中上端が放熱部材３００の支持板部３１０の裏面３１２に当接している。これにより、底板部４１０と放熱部材３００の支持板部３１０の裏面３１２との間には隙間が生じている。また、底板部４１０には、２つの貫通孔４１２が形成されている。貫通孔４１２は、電源部５３０のケーブル５３３を挿通させるためのものである。また、ケーブル５３３は、放熱部材３００の支持板部３１０の貫通孔３１３に挿通されている。
【００５４】
断熱部４２０は、底板部４１０に繋がっており、円筒形状とされている。断熱部４２０の外径は、放熱部材３００の内側面３２１の内径よりも小とされており、断熱部４２０は、内側面３２１に対してその全周にわたって離間している。
【００５５】
放熱部４３０は、断熱部４２０に繋がっており、円筒形状とされている。図１、図３、および図４に示すように、放熱部４３０の外径は、断熱部４２０の外径よりも大であり、放熱部材３００の内側面３２１に対して嵌合可能な程度とされている。これにより、放熱部４３０は、内側面３２１に対して接している。
【００５６】
放熱部４３０には、位置決め突起４３１が形成されている。本実施形態においては、位置決め突起４３１は、放熱部４３０からさらに外方に突出しており、放熱部材３００の裏面３１２から開口３３０に向かう方向に長く延びている。図４に示すように、位置決め突起４３１は、放熱部材３００に形成された位置決め溝３４０に嵌合している。
【００５７】
鍔部４４０は、放熱部４３０の下端から外方に広がっており、放熱部材３００と口金５２０との間に介在している。鍔部４４０の外周面は、外部に露出している。鍔部４４０のうち外部に露出した部分の図中上下方向寸法は、たとえば４ｍｍ程度である。鍔部４４０には、収容溝４４１が形成されている。収容溝４４１は、鍔部４４０の全周にわたって形成されており、放熱部材３００の開口側端３５０が嵌めこまれている。
【００５８】
グローブ５１０は、発光部２００を囲んでおり、発光部２００から出射された光を透過する。さらに本実施形態においては、グローブ５１０は、光を拡散させつつ透過させる構成とされている。このようなグローブ５１０は、たとえば乳白色の半透明な樹脂からなる。グローブ５１０は、部分球形状とされており、その直径が３５ｍｍ程度である。
【００５９】
口金５２０は、たとえばＪＩＳ規格に準拠した一般的な電球用の照明器具に取り付けるための部分である。本実施形態においては、口金５２０は、ＪＩＳ規格に定められたＥ１７の仕様を満たす構成とされている。口金５２０は、電源部５３０に対して配線によって接続されている。
【００６０】
次に、ＬＥＤ電球１０１の作用について説明する。
【００６１】
本実施形態によれば、発光部２００からの熱は、放熱部材３００へと伝えられる。このため、放熱部材３００の温度分布は、主面３１１側が高く、開口３３０側が低くなっている。電源部カバー４００は、裏面３１２との間に隙間を隔てているため、発光部２００からの熱を受けにくい。したがって、電源部５３０を構成する複数の電子部品５３２が熱によって劣化することを防止することができる。特に、複数の電子部品５３２のうち電解コンデンサやコイル、ＩＣなどは熱に対して劣化しやすいため、これらの電子部品５３２を保護することができる。
【００６２】
底板部突起４１１を放熱部材３００の裏面３１２に当接させることにより、電源部カバー４００の放熱部材３００に対する位置決めを行うことができる。しかも、底板部４１０と裏面３１２との間には隙間を確実に確保することができる。
【００６３】
貫通孔３１３と貫通孔４１２とを設けることにより、電源部５３０から発光部２００へと電力を導く経路を適切に配置することができる。裏面３１２と底板部４１０との間の隙間は、ケーブル５３３を収容する空間として活用できる。
【００６４】
放熱部材３００のうち比較的高温となる支持板部３１０寄りの部位と断熱部４２０との間に隙間を設けることにより、電源部カバー４００に発光部２００からの熱が過大に伝わってしまうことを防止することができる。
【００６５】
放熱部材３００のうち比較的低温である開口３３０寄りの部位と放熱部４３０とを接しさせることにより、電源部５３０からの熱を電源部カバー４００を介して放熱部材３００へと適切に伝えることができる。
【００６６】
放熱部材３００に厚肉部３６１を形成することにより、比較的高温となる部位の熱容量を大きくすることが可能であり、放熱部材３００の一部が過度に高温となってしまうことを防止することができる。
【００６７】
位置決め突起４３１と位置決め溝３４０とを嵌合させることにより、電源部カバー４００を放熱部材３００に対して確実に位置決めすることができる。位置決め突起４３１を放熱部４３０に設けることにより、放熱部４３０と放熱部材３００との接触面積を増大させるとともに、断熱部４２０と放熱部材３００との接触面積が大きくなってしまうことを回避することができる。
【００６８】
絶縁性樹脂からなる電源部カバー４００の一部である鍔部４４０を放熱部材３００と口金５２０との間に介在させることにより、放熱部材３００と口金５２０との絶縁性を高めることができる。鍔部４４０を外部に露出させることにより、放熱部材３００と口金５２０とを導通させるために必要な距離を長くすることが可能であり、互いにショートしてしまうことを好適に防止することができる。
【００６９】
図５〜図７は、本発明の他の実施形態に基づくＬＥＤ電球を示している。なお、これらの図において、上記実施形態と同一または類似の要素には、上記実施形態と同一の符号を付している。
【００７０】
図５および図６は、電源部カバー４００の変形例およびこれを用いたＬＥＤ電球１０１を示している。図５に示すように、本変形例においては、底板部突起４１１の構成が、上述した電源部カバー４００と異なり、格子状とされている。より詳しくは、互いに直交する２つずつの直上壁が結合された構造となっている。また、本変形例においては、断熱部４２０に複数の断熱部突起４２１が形成されている。断熱部突起４２１は、放熱部材３００の裏面３１２から開口３３０に向かう方向に長く延びている。図６によく表れているように、複数の断熱部突起４２１は、放熱部材３００の内側面３２１に当接している。
【００７１】
本変形例によっても、放熱部材３００の裏面３１２と電源部カバー４００の底板部４１０との間に隙間を適切に確保することができる。断熱部４２０に断熱部突起４２１を設けることにより、断熱部４２０と内側面３２１との間に隙間を確保しつつ、電源部カバー４００を放熱部材３００に対して適切に位置決めすることができる。
【００７２】
図７は、本発明の第２実施形態に基づくＬＥＤ電球を示している。本実施形態のＬＥＤ電球１０２は、放熱部材３００の構成が、上述したＬＥＤ電球１０１と異なっている。本実施形態においては、放熱部材３００は、均一厚部３６３を有している。
【００７３】
均一厚部３６３は、支持板部３１０に繋がっており、異形円筒形状とされている。均一厚部３６３は、その厚さが一定とされており、好ましくは０．５〜１．０ｍｍである。均一厚部３６３は、支持板部３１０寄りの部分が、支持板部３１０から遠ざかるほど直径が小となっている。この部分と電源部カバー４００との間には、比較的大きな隙間が存在している。均一厚部３６３のうち開口３３０寄りの部分は、直径が一定な円筒形状とされている。この部分は、電源部カバー４００の放熱部４３０と接している。
【００７４】
本実施形態によれば、放熱部材３００のうち比較的高温となる部位は厚さがそれほど厚くない。厚さが薄いほど表裏面の温度差が少なくなり熱応力が緩和される。また、均一厚部３６３のうち支持板部３１０寄りの部分を比較的大径とすることにより、断熱部４２０との間に大きな隙間を設けることができる。一方、均一厚部３６３のうち開口３３０寄りの部分を放熱部４３０と当接させうるサイズとすることにより、電源部カバー４００から放熱部材３００への伝熱を促進することができる。
【００７５】
本発明に係るＬＥＤ電球は、上述した実施形態に限定されるものではない。本発明に係るＬＥＤ電球の各部の具体的な構成は、種々に設計変更自在である。
【００７６】
図９は、本発明の他の側面の第１実施形態に基づくＬＥＤ照明システムを示している。本実施形態のＬＥＤ照明システム６１１は、ＬＥＤ照明器具６０１と無線ＬＡＮルータ７１０とを備えている。ＬＥＤ照明システム６１１は、ＬＥＤ照明器具６０１による設置場所の照明用途に加えて、ＬＥＤ照明器具６０１を使用者が使用したことをインターネット８１０を経由して、パソコン８１１や携帯型電話機８１３へと通知する役割を果たす。
【００７７】
ＬＥＤ照明器具６０１は、本実施形態においては、一般家庭のダイニングなどに用いられるペンダント型照明器具として構成されている。図９および図１０に示すように、ＬＥＤ照明器具６０１は、発光部６２０、ＬＥＤドライバ６３０、電源部６４０、制御部６５０、無線送信部６６０を備えている。なお、図１０において、実線で示された経路は電力の経路であり、点線で示された経路は制御信号の経路である。
【００７８】
発光部６２０は、複数のＬＥＤチップ６２１を有しており、本実施形態においては、円環状とされている。発光部６２０は、昼光色あるいは電球色などの白色系の光を発する。
【００７９】
電源部６４０は、たとえば商用の交流１００Ｖ電力を複数のＬＥＤチップ６２１を発光させるのに適した直流電力に変換する。電源部６４０は、たとえばコイル、コンデンサ、抵抗器などによって構成されている。電源部６４０には、スイッチ部６７０が具備されている。スイッチ部６７０は、使用者が引っ張ることにより電源のＯＮ／ＯＦＦの操作を行うための紐を有する。この紐が引っ張られるたびに、発光部２００は点灯と消灯とを繰り返す。
【００８０】
ＬＥＤドライバ６３０は、電源部６４０から受けた直流電力を所望のＬＥＤチップ６２１に供給するドライバ素子である。ＬＥＤドライバ６３０によって、個々のＬＥＤチップ６２１の輝度が制御される。
【００８１】
制御部６５０は、ＬＥＤ照明器具６０１全体の動作を制御するものであり、たとえばＣＰＵ、メモリ、インターフェースなどからなる。本実施形態においては、スイッチ部６７０によって点灯および消灯の操作がなされたことは、フォトカプラ６４１を介して制御部６５０へと伝えられる。フォトカプラ６４１は、比較的大電力である電力経路と比較的小電力である制御信号経路とを絶縁しつつ、これらの間でスイッチングを行うのに適している。制御部６５０は、後述するように、ある条件下で発光部６２０が点灯されると報知信号としての電子メールを送信する機能を有する。
【００８２】
無線送信部６６０は、ＩＥＥＥ  ８０２．１１規格、またはＩＥＥＥ  ８０２．１５規格に準拠した無線通信によって制御部６５０からの電子メールを無線送信する機能を有する。
【００８３】
ＬＥＤ照明器具６０１の動作を、図１１を参照しつつ説明する。
【００８４】
まず、電源部６４０が商用の交流１００Ｖ電源に接続されることにより、ＬＥＤ照明器具６０１の動作がスタートする（ステップＳ１０）。ついで、フォトカプラ６４１からの信号を監視することにより、スイッチ部６７０による点灯操作が行われたか否かを判定する（ステップＳ１１）。点灯操作が行われていなければ（ステップＳ１１−Ｎ）ステップＳ１１を繰り返す。点灯操作が行われれば（ステップＳ１１−Ｙ）、制御部６５０は、電子メールを送信する（ステップＳ１２）。この電子メールは、あらかじめ制御部６５０のメモリに記憶されたアドレスに、あらかじめ記憶された文面を利用して送信される。アドレスの一例としては、このＬＥＤ照明器具６０１の使用者とは離れた地域で暮らす肉親者が挙げられる。文面の例としては、「ＬＥＤ照明器具が点灯されました」などの文面が挙げられる。
【００８５】
制御部６５０から送信された電子メールは無線送信部６６０から、図９に示すように、無線ＬＡＮルータ７１０へと無線送信される。無線ＬＡＮルータ７１０は、インターネット８１０に接続されており、制御部６５０からの電子メールを、インターネット８１０を介して遠隔地域の肉親者が使用するパソコン８１１へと送信する。また、制御部６５０からの電子メールは、インターネット８１０から携帯電話通信網８１２を介して遠隔地域の肉親者が使用する携帯型電話機８１３へと送信される。
【００８６】
電子メールが送信された後は、図１０に示す制御部６５０に備えられた計時部６５１によるタイマー処理がなされる（図１１のステップＳ１３）。このタイマー処理は、送信後経過時間Ｔを計時するものであり、送信後経過時間Ｔは、直近の電子メールが送信されてから経過した時間に相当する。制御部６５０は、この送信後経過時間Ｔをあらかじめ定められた送信禁止時間Ｔ１と比較する（ステップＳ１４）。送信禁止時間Ｔ１は、ある電子メールが送信されてから次の電子メールが送信されるまでに経るべき時間であり、たとえば１日（２４時間）が設定される。送信後経過時間Ｔが送信禁止時間Ｔ１より大きくなければ（ステップＳ１４−Ｎ）、ステップＳ１４を繰り返す。送信後経過時間Ｔが送信禁止時間Ｔ１よりも大きくなっていれば（ステップＳ１４−Ｙ）、ステップＳ１１に戻る。
【００８７】
次に、ＬＥＤ照明器具６０１およびＬＥＤ照明システム６１１の作用について説明する。
【００８８】
本実施形態によれば、ＬＥＤ照明器具６０１を使用者が使用すると、遠隔地域に住む肉親者に電子メールによって使用されたことが伝えられる。ＬＥＤ照明器具６０１は、日常生活に不可欠なものであり、夜間は消灯され、起床とともに点灯されることが日常である。したがって、特別な知識を備えない使用者が特殊な操作をすることなく、遠隔地域に住む肉親者に使用者が日常生活を変わりなく過ごしていることを知らせることができる。
【００８９】
紐を具備するスイッチ部６７０によって点灯操作を行う形態は、特に高齢者の使用者が戸惑うことなく容易に点灯操作を行うのに適している。
【００９０】
送信後経過時間Ｔと送信禁止時間Ｔ１とを比較することにより、送信後経過時間Ｔが送信禁止時間Ｔ１よりも短い場合、電子メールの送信を行わない。これにより、使用者が日中にＬＥＤ照明器具６０１の点灯操作を頻繁に繰り返しても、肉親者に短期間に多数のメールが送信されてしまうことを回避することができる。
【００９１】
図１２〜図２１は、本発明の他の側面の他の実施形態に基づくＬＥＤ照明器具およびＬＥＤ照明システムを示している。なお、これらの図において、上記実施形態と同一または類似の要素には、上記実施形態と同一の符号を付している。
【００９２】
図１２および図１３は、本発明の他の側面の第２実施形態に基づくＬＥＤ照明器具およびＬＥＤ照明システムを示している。本実施形態のＬＥＤ照明器具６０２においては、スイッチ部６７０による点灯操作が行われるたびに、制御部６５０が報知信号を発する。本実施形態の制御部６５０には、上述した計時部６５１は備えられていない。制御部６５０からの報知信号は、無線送信部６６０によって送信される。この報知信号は、電子メールではなく、点灯操作が行われたことを意味する単なるデジタル信号である。
【００９３】
ＬＥＤ照明システム６１２は、ゲートウェイ７２０およびルータ７３０を備えている。ゲートウェイ７２０は、無線受信部７２１、電子メール送信部７２２、および計時部７２３を有している。無線受信部７２１は、たとえばＩＥＥＥ  ８０２．１１規格、またはＩＥＥＥ  ８０２．１５規格に準拠した無線通信（たとえばＺｉｇＢｅｅ（登録商標））によって無線送信部６６０から報知信号を受信する。
【００９４】
図１４は、ゲートウェイ７２０における電子メール送信処理を示している。電源が投入されると（ステップＳ２１）、無線送信部６６０からの通信を待機する（ステップＳ２１）。無線送信部６６０からの報知信号を受信しない場合（ステップＳ２１−Ｎ）、ステップＳ２１を繰り返す。無線送信部６６０から報知信号を受信した場合（ステップＳ２１−Ｙ）、電子メール送信部７２２が電子メールを送信する（ステップＳ２２）。この電子メールは、ルータ７３０からインターネット８１０へと送信される。
【００９５】
電子メールが送信された後は、図１３に示す計時部７２３によるタイマー処理がなされる（図１４のステップＳ２３）。このタイマー処理は、送信後経過時間Ｔを計時するものであり、送信後経過時間Ｔは、直近の電子メールが送信されてから経過した時間に相当する。この送信後経過時間Ｔをあらかじめ定められた送信禁止時間Ｔ１と比較する（ステップＳ２４）。送信後経過時間Ｔが送信禁止時間Ｔ１より大きくなければ（ステップＳ２４−Ｎ）、ステップＳ２４を繰り返す。送信後経過時間Ｔが送信禁止時間Ｔ１よりも大きくなっていれば（ステップＳ２４−Ｙ）、ステップＳ２１に戻る。
【００９６】
このような実施形態によっても、遠隔地域に住む肉親者に使用者が日常生活を変わりなく過ごしていることを知らせることができる。また、電子メールを送信する機能や、送信後経過時間Ｔの計時機能をゲートウェイ７２０に持たせることにより、ＬＥＤ照明器具６０２の構成を簡素化することが可能である。
【００９７】
図１５は、本発明の他の側面の第３実施形態に基づくＬＥＤ照明器具およびＬＥＤ照明システムを示している。本実施形態のＬＥＤ照明システム６１３は、ＬＥＤ照明器具６０３、ゲートウェイ７２０、ルータ７３０を備えている。ＬＥＤ照明器具６０３は、上述したＬＥＤ照明器具６０２と同様の報知信号を送信する。この送信は、発光部６２０からの光を用いてなされる。たとえば、発光部６２０が消灯状態から点灯状態へと操作されると、制御部６５０からの指令により、ＬＥＤドライバ６３０は、発光部６２０をあらかじめ定められた報知パターンで点灯させる。報知パターンは、たとえば数十〜数百ｍｓ程度の期間に、定められた時間および回数で発光部６２０を点灯させるパターンである。
【００９８】
ゲートウェイ７２０は、受光部７２４を有している。受光部７２４は、受けた光の強度に対応した起電力を発生する、光電変換機能を備えており、発光部６２０からの光を電気信号に変換する。発光部６２０が上述した発光パターンで点灯すると、受光部７２４は、報知パターンに対応した電気信号を生成する。ゲートウェイ７２０においては、この報知パターンに基づく電気信号を、上述した報知信号として扱う。これにより、図１４に示した電子メール送信処理が実現される。
【００９９】
このような実施形態によれば、電波を利用した通信手段を備えることなく、照明光を利用した無線通信が可能であり、ＬＥＤ照明システム６１３のシステム構成を簡素化することができる。
【０１００】
図１６および図２０は、本発明の他の側面の第４実施形態に基づくＬＥＤ照明器具およびＬＥＤ照明システムを示している。本実施形態のＬＥＤ照明器具６０４は、直管型蛍光灯の代替品として用いられる。図１７〜図２０に示すように、ＬＥＤ照明器具６０４は、チューブ６９１、口金６９２、発光部６２０、ＬＥＤドライバ６３０、電源部６４０、制御部６５０、無線送信部６６０、および人感センサ６８０を備えている。
【０１０１】
チューブ６９１は、円筒形でありたとえば半透明な乳白色の樹脂からなる。口金６９２は、チューブ９６１の両端に配置されており、直管型蛍光灯用の電力供給部に接続するための部位である。
【０１０２】
発光部６２０は複数のＬＥＤチップ６２１を有している。電源部６４０は、商用の交流１００Ｖ電力を複数のＬＥＤチップ６２１を点灯させるために適した直流電力に変換する。ＬＥＤドライバ６３０は、個々のＬＥＤチップ６２１の点灯制御を担う。制御部６５０および無線送信部６６０は、上述した第１実施形態と同様の機能を果たす。
【０１０３】
人感センサ６８０は、たとえば使用者が発する赤外線を感知することにより、感知信号を発する。人感センサ６８０がたとえば焦電センサを用いた構成の場合、使用者が感知領域に進入したときに感知信号を発する。
【０１０４】
図２１は、ＬＥＤ照明器具６０４の動作を示している。まず、電源部６４０が商用の交流１００Ｖ電源に接続されることにより、ＬＥＤ照明器具６０４の動作がスタートする（ステップＳ３０）。ついで、人感センサ６８０によって使用者が感知されたかを判定する（ステップＳ３１）。使用者が感知されなければ（ステップＳ３１−Ｎ）、ステップＳ３１を繰り返す。使用者が感知されれば（ステップＳ３１−Ｙ）、制御部６５０は、電子メールを送信する（ステップＳ３２）。
【０１０５】
制御部６５０から送信された電子メールは無線送信部６６０から、図１６に示すように、無線ＬＡＮルータ７１０へと無線送信される。無線ＬＡＮルータ７１０は、制御部６５０からの電子メールを、インターネット８１０を介して遠隔地域の肉親者が使用するパソコン８１１へと送信する。また、制御部６５０からの電子メールは、インターネット８１０から携帯電話通信網８１２を介して遠隔地域の肉親者が使用する携帯型電話機８１３へと送信される。
【０１０６】
電子メールが送信された後は、図２０に示す制御部６５０に備えられた計時部６５１によるタイマー処理がなされる（図２１のステップＳ３３）。このタイマー処理は、送信後経過時間Ｔを計時するものであり、送信後経過時間Ｔは、直近の電子メールが送信されてから経過した時間に相当する。制御部６５０は、この送信後経過時間Ｔをあらかじめ定められた送信禁止時間Ｔ１と比較する（ステップＳ３４）。送信禁止時間Ｔ１は、ある電子メールが送信されてから次の電子メールが送信されるまでに経るべき時間であり、たとえば１日（２４時間）が設定される。送信後経過時間Ｔが送信禁止時間Ｔ１より大きくなければ（ステップＳ３４−Ｎ）、ステップＳ３４を繰り返す。送信後経過時間Ｔが送信禁止時間Ｔ１よりも大きくなっていれば（ステップＳ３４−Ｙ）、ステップＳ３１に戻る。
【０１０７】
本実施形態によれば、使用者が点灯操作をすることなく、ＬＥＤ照明器具６０４の点灯と、ＬＥＤ照明器具６０４が点灯したことを遠隔地域の肉親者に伝えることとが可能である。
【符号の説明】
【０１０８】
１０１，１０２  ＬＥＤ電球
２００  発光部
２１０  ＬＥＤ基板
２２０  ＬＥＤチップ
２３０  封止樹脂
２４０  堰部
５１０  グローブ
５２０  口金
５３０  電源部
５３１  電源基板
５３２  電子部品
５３３  ケーブル
３００  放熱部材
３１０  支持板部
３１１  主面
３１２  裏面（底面）
３１３  貫通孔
３２０  電源部収容空間
３２１  内側面
３３０  開口
３４０  位置決め溝
３５０  開口側端
３６１  厚肉部
３６２  薄肉部
３６３  均一厚部
４００  電源部カバー
４１０  底板部
４１１  底板部突起
４１２  貫通孔
４２０  断熱部
４２１  断熱部突起
４３０  放熱部
４３１  位置決め突起
４４０  鍔部
４４１  収容溝
６０１〜６０４  ＬＥＤ照明器具
６１１〜６１４  ＬＥＤ照明システム
６２０  発光部
６２１  ＬＥＤチップ
６３０  ＬＥＤドライバ
６４０  電源部
６４１  フォトカプラ
６５０  制御部
６５１  計時部
６６０  無線送信部
６７０  スイッチ部
６８０  人感センサ
６９１  チューブ
６９２  口金
７１０  無線ＬＡＮルータ（無線受信部、通信部）
７２０  ゲートウェイ
７２１  無線受信部
７２２  電子メール送信部
７２３  計時部
７２４  受光部
７３０  ルータ（通信部）
８１０  インターネット（公衆通信回線）
８１１  パソコン
８１２  携帯電話通信網
８１３  携帯型電話機
【図１】
2013093220.tif 000003
【図２】
2013093220.tif 000004
【図３】
2013093220.tif 000005
【図４】
2013093220.tif 000006
【図５】
2013093220.tif 000007
【図６】
2013093220.tif 000008
【図７】
2013093220.tif 000009
【図８】
2013093220.tif 000010
【図９】
2013093220.tif 000011
【図１０】
2013093220.tif 000012
【図１１】
2013093220.tif 000013
【図１２】
2013093220.tif 000014
【図１３】
2013093220.tif 000015
【図１４】
2013093220.tif 000016
【図１５】
2013093220.tif 000017
【図１６】
2013093220.tif 000018
【図１７】
2013093220.tif 000019
【図１８】
2013093220.tif 000020
【図１９】
2013093220.tif 000021
【図２０】
2013093220.tif 000022
【図２１】
2013093220.tif 000023